(57)【要約】【課題】強度が大きくかつ製作が容易なボール状多面体の組み立てキットを提供する。【解決手段】サッカーボール型置物の組み立てキットを、正六角形状部材を接続して構成した本体シート及び五角形状の連結部材１１から構成する。本体シートをそれぞれの接続部で折り曲げて五角形状の連結用穴が１２個開口した球状体を形成する。そして、それぞれの五角形状の連結用穴に沿って配置されている５つの係止片３９の受け入れ係止孔３７に連結部材１１の差込係合片２７を表側から裏側に差し込んで係合させる。【選択図】図５
2019097996.tif 000002
【特許請求の範囲】
【請求項１】
紙製又は段ボール製の正六角形状部材及び正五角形状部材の接続体から構成されたボール状多面体であって、
前記正六角形状部材同士の接続構造は、折り曲げ可能な一体的接続構造又は前記正六角形状部材の一方に設けられた差込係合片と前記正六角形状部材の他方に設けられた受け入れ係止孔の差込係合構造であり
前記正六角形状部材及び前記正五角形状部材の接続構造は、前記正六角形状部材及び前記正五角形状部材の一方に設けられた差込係合片と前記正六角形状部材及び前記正五角形状部材の他方に設けられた受け入れ係止孔の差込係合構造である、ことを特徴とするボール状多面体。
【請求項２】
前記正六角形状部材及び前記正五角形状部材の接続構造は、前記正五角形状部材に設けられた差込係合片と前記正六角形状部材に設けられた受け入れ係止孔の差込係合構造である、ことを特徴とする請求項１記載のボール状多面体。
【請求項３】
前記正六角形状部材の辺部には折り曲げ可能な係止片が一体的に設けられていて、前記受け入れ係止孔はこの係止片にあけられている、ことを特徴とする請求項２記載のボール状多面体。
【請求項４】
ボール状多面体を組み立てるための紙製又は段ボール製のボール状多面体組み立てキットであって、
正六角形状部材を辺部で折り曲げ可能に一体的に接続した紙製又は段ボール製の本体シートと、この本体シートを前記正六角形状部材の前記辺部で折り曲げてボール形状体を構成したときに生じる正五角形状の連結用穴を塞ぐための正五角形状の紙製又は段ボール製の閉塞部材と、を備え、
前記閉塞部材の各辺部には差込係合片が突出して設けられ、前記連結用穴を形成する前記正六角形状部材の各辺部には前記閉塞部材の前記差込係合片を差し込んで係合させるための受け入れ係止孔が形成されている、ことを特徴とするボール状多面体組み立てキット。
【請求項５】
前記本体シートは、前記ボール状多面体を構成するのに必要な個数の正六角形状部材を辺部で折り曲げ可能に一体的に接続したものである、ことを特徴とする請求項４記載のボール状多面体組み立てキット。
【請求項６】
前記連結用穴を形成する前記正六角形状部材の各辺部には折り曲げ可能な係止片が一体的に設けられていて、前記受け入れ係止孔はこの係止片にあけられている、ことを特徴とする請求項４又は５記載のボール状多面体組み立てキット。
【発明の詳細な説明】
【技術分野】
【０００１】
本発明はサッカーボールを模した置物等のボール状多面体を紙又は段ボールで組み立てる技術に関する。
【背景技術】
【０００２】
例えばサッカーボールを模した置物を紙又は段ボールで作る場合には、２０枚の正六角形のピースと１２枚の正五角形のピースとを準備し、ピース同士を別体である多数の連結片で連結してボール状に構成している（例えば特許文献１参照）。
【先行技術文献】
【特許文献】
【０００３】
【特許文献１】特開２０１０−１３６８１７号公報
【発明の概要】
【発明が解決しようとする課題】
【０００４】
このような構成のサッカーボール型置物は、正六角形や正五角形のピース同士をすべて別体の連結片で連結しているので強度が弱く、手で持って多少の圧力を加えただけでも連結個所が分離してしまうおそれがある。しかも、部品点数が多いので製作に時間がかかる。
【０００５】
そこで本発明は、強度が大きかったり又は製作が容易な、サッカーボール型置物のような紙製又は段ボール製のボール状多面体の提供とこのようなボール状多面体を製作するための組み立てキットの提供を目的とする。
【課題を解決するための手段】
【０００６】
この目的を達成するために、正六角形状部材同士の接続構造は、折り曲げ可能な（折り曲げられた）一体的接続構造又は前記正六角形状部材の一方に設けられた差込係合片と前記正六角形状部材の他方に設けられた受け入れ係止孔の差込係合構造であり、前記正六角形状部材及び正五角形状部材の接続構造は、前記正六角形状部材及び前記正五角形状部材の一方に設けられた差込係合片と前記正六角形状部材及び前記正五角形状部材の他方に設けられた受け入れ係止孔の差込係合構造であるといった、紙製又は段ボール製の正六角形状部材及び正五角形状部材の接続体から構成されたボール状多面体が提供される。正六角形状部材及び正五角形状部材の接続構造は、正五角形状部材に設けられた差込係合片と正六角形状部材に設けられた受け入れ係止孔の差込係合構造とすることができる。ここでは例えば、まず、正五角形状又は概略正五角形状の連結用穴が形成されるように正六角形状部材同士の接続体を構成し、次に、正五角形状部材のそれぞれの差込係合片を、この連結用穴の周りの正六角形状部材の受け入れ係止孔に差し込むことによりボール状多面体を構成できる。差込係合片は受け入れ係止孔に例えば表面側から裏面側に貫通するように差し込まれる。正六角形状部材の縁部又は辺部に折り曲げ可能な係止片を一体的に設け、受け入れ係止孔をこの係止片にあけて設けることができる。あるいは、正六角形状部材の縁部又は辺部に折り曲げられた係止片が一体的に設けられ、受け入れ係止孔はこの係止片にあけて設けられている、といったように構成できる。
【０００７】
また、この目的を達成するために、正六角形状部材又は複数の正六角形状部材を縁部又は辺部で折り曲げ可能に一体的に接続した紙製又は段ボール製の本体シートと、この本体シートを前記正六角形状部材の前記縁部又は辺部で折り曲げ、必要な接続例えば差込係合接続を行なってボール形状体を構成したときに生じる正五角形状の連結用穴を塞ぐための正五角形状の紙製又は段ボール製の閉塞部材と、を備え、前記閉塞部材の外周の各辺部には差込係合片が突出して設けられ、前記連結用穴を形成する前記正六角形状部材の各縁部又は辺部には前記閉塞部材の前記差込係合片を差し込んで係合させるための受け入れ係止孔が形成されている、といったボール状多面体を組み立てるための紙製又は段ボール製のボール状多面体組み立てキットが提供される。本体シートは、ボール状多面体を構成するのに必要な個数の正六角形状部材を縁部又は辺部で折り曲げ可能に一体的に接続したものとすることができる。本体シートはまた、ボール状多面体の一部分を構成するのに必要な個数の正六角形状部材を縁部又は辺部で折り曲げ可能に一体的に接続したものとすることができる。ここでは、例えば複数枚の本体シートが準備される。連結用穴を形成する正六角形状部材の各縁部又は辺部に折り曲げ可能な係止片を一体的に設け、受け入れ係止孔をこの係止片にあけて設けることができる。
【発明の効果】
【０００８】
本発明のボール状多面体又はボール状多面体組み立てキットでは部品点数が少ないので多面体の強度を高めることが可能であるし、簡易に多面体を組み立てることもできる。
【図面の簡単な説明】
【０００９】
【図１】本発明に係るボール状多面体としてのサッカーボール型置物の全体形状を示す図である。
【図２】サッカーボール型置物の組み立てキットである本体シートを示す図である。
【図３】サッカーボール型置物の組み立てキットである閉塞部材及び置台を組み立てるための置台用組み立て部材を示す図である。
【図４】本体シートの組み立て方法を説明する図である。
【図５】連結部材の接続方法を示す図である。
【図６】サッカーボール型置物の別の組み立てキットを示す図である。
【発明を実施するための形態】
【００１０】
以下、図面を参照して本発明の実施の形態を説明する。
【００１１】
まず、図１を参照して本発明に係るボール状多面体としてのサッカーボール型置物の形状を概略的に説明する。
【００１２】
サッカーボール型置物１は段ボール製の正六角形状部材３及び正五角形状部材５のボール状の接続体であって、段ボール製の環状の接続体である置台７上に載せられている。ここでは、正六角形状部材３は白色であり、正五角形状部材５及び置台７は赤色であるが、正五角形状部材５及び置台７を黒色とすることもできる。
【００１３】
次に、図２及び図３を参照してサッカーボール型置物１及び置台７を組み立てるための段ボール製組み立て部材を説明する。
【００１４】
サッカーボール型置物１の組み立てキットは、本体シート（本体部材）９及び連結部材（閉塞部材）１１を有し、置台７を組み立てるための組み立て部材１３は開放部１５を有する環状シートとして形成されている。本体シート９はサッカーボール型置物１を組み立てるために必要な２０個の正六角形状部材３を一体的に接続して一枚のシートとしたものであり、連結部材１１はサッカーボール型置物１を組み立てるために必要な正五角形状部材であり、１２個準備されている（図３では連結部材１１は１個だけ示されている）。置台７の組み立て用環状シート１３は截頭五角錐状の環状の接続体を組み立てるためのものである。本体シート９は例えば一枚の段ボール板内に形成され、この段ボール板から分離して取り外すことができるように構成される。このような場合には、例えば、本体シート９の受け入れ係止孔３７には分離して取り除くことができる細片が付着している。また、例えば、１２個の連結部材１１と環状シート１３を一枚の段ボール板内に収めて形成し、この段ボール板からそれぞれを分離して取り外すことができるように構成できる。
【００１５】
本体シート９の正六角形状部材３はそれぞれ、正六角形状部材３を一列状に一体的に接続した中央の列の中央部材１７と、中央部材１７に１つおきに一方側で一体的に接続された一方側部材１９と、他の１つおきの中央部材１７に他方側で一体的に接続された他方側部材２１と、を備え、正六角形状部材３同士の一体的な接続部２３（正六角形状部材３の縁部又は辺部）には折り曲げ用の折筋２５（点線部分参照）が形成されている。一端部（図１上右側）に位置する中央部材１７の外側縁部には差込係合片２７が一体的に形成され、それぞれの一方側部材１９の一端側の外側縁部にも差込係合片２７が一体的に形成され、それぞれの他方側部材２１の一端側の外側縁部にも差込係合片２７が一体的に形成されている。それぞれの差込係合片２７は、細い台形状の差込本体部２９と、差込本体部２９の基部３１よりも幅の狭い首部３３とから一体的に形成されていて、差込係合片２７又は首部３３と正六角形状部材３との接続部には折り曲げ用の折筋３５（点線部分参照）が形成されている（折筋３５は折筋２５と同じ構造）。
【００１６】
それぞれの正六角形状部材３の、一体的な接続部２３も差込係合片２７も形成されていない縁部又は辺部には、受け入れ係止孔３７が設けられた台形状の係止片３９が一体的に形成され、係止片３９と正六角形状部材３との接続部（係止片３９の底辺部）には折り曲げ用の折筋４１（点線部分参照）が形成されている（折筋４１は折筋２５と同じ構造）。受け入れ係止孔３７はスリット状に形成され、係止片３９の底辺部４１に沿って形成されている。したがって、受け入れ係止孔３７部分では折筋４１は例えば消失している。それぞれの係止片３９の折筋又は底辺部４１は正六角形状部材３の縁部又は辺部と同じ長さを有しているが、それぞれの係止片３９の脚部４５は、この係止片３９の底辺部４１と隣り合う、正六角形状部材３の縁部又は辺部の延長線４７よりも多少内側に傾斜している。
【００１７】
差込係合片２７の差込本体部２９の基部３１の幅は系止片３９の受け入れ係止孔３７の長さと等しく又はほぼ等しく、差込係合片２７の首部３３の幅は受け入れ係止孔３７の長さよりも短い。
【００１８】
図３ａに示すように、連結部材１１は五角形状体４９のそれぞれの縁部又は辺部に一体的に設けられた差込係合片２７を有し、この差込係合片２７も細い台形状の差込本体部２９と、差込本体部２９の基部３１よりも幅の狭い首部３３とから一体的に形成されていて、差込係合片２７又は首部３３と正五角形状体４９との接続部には折り曲げ用の折筋３５（点線部分参照）が形成されている。連結部材１１の差込係合片２７は本体シート９の差込係合片２７と同じ構造を有している。連結部材１１の差込本体部２９の基部３１の幅は正六角形状部材３に設けられた系止片３９の受け入れ係止孔３７の長さと等しく又はほぼ等しく、連結部材１１の差込係合片２７の首部３３の幅は正六角形状部材３に設けられた系止片３９の受け入れ係止孔３７の長さよりも短い。
【００１９】
置台７を組み立てるための環状シート１３は、５つの台形状体５１の脚部同士を一体的に接続し、脚部同士の接続部が折り曲げ可能なようにこの接続部に折筋５３（点線部分参照）を形成したものであり、台形状体５１と同一の形状の開口部又は開放部１５を有する６角環状体として構成されている。環状シート１３の周方向の一方の端部には差込係合片２７が一体的に設けられ、この差込係合片２７も細い台形状の差込本体部２９と、差込本体部２９の基部３１よりも幅の狭い首部３３とから一体的に形成されていて、差込係合片２７又は首部３３と環状シート１３との接続部には折り曲げ用の折筋３５（点線部分参照）が形成されている。環状シート１３の差込係合片２７は本体シート９の差込係合片２７と同じ構造を有している。環状シート１３の周方向の他方の端部には、受け入れ係止孔３７が設けられた台形状の係止片３９が一体的に設けられ、係止片３９と環状シート１３との接続部（係止片３９の底辺部）には折り曲げ用の折筋４１（点線部分参照）が形成されている。受け入れ係止孔３７はスリット状に形成され、係止片３９の底辺部４１に沿って形成されている。環状シート１３の係止片３９は本体シート９の係止片３９と同じ構造を有している。環状シート１３の差込本体部２９の基部３１の幅は環状シート１３の係止片３９の受け入れ係止孔３７の長さと等しく又はほぼ等しく、環状シート１３の差込係合片２７の首部３３の幅は環状シート１３の受け入れ係止孔３７の長さよりも短い。
【００２０】
そして、図４及び図５を参照して本体シート９及び連結部材１１からサッカーボール型置物１の組み立て方法を説明する。
【００２１】
サッカーボール型置物１を組み立てるには、本体シート９をそれぞれの接続部２３で折り曲げるとともに、本体シート９の差込係合片２７を対応する受け入れ係止孔３７に差し込んで五角形状の連結用穴５７が１２個開口した球状体を形成する（図４参照）。差込係合片２７を受け入れ係止孔３７に差し込むと、差込本体部２９の基部３１の両端部が受け入れ係止孔３７の縁部と抜け止め係合する。図４は本体シート９のＵ字状の一つのブロックの組み立て態様を説明していて、Ｕ字状の一つのブロックから五角形状の連結用穴５７が開口した皿状体（図１の符号Ａで示す部分）が形成されることが示されている。そして、それぞれの五角形状の連結用穴５７に沿って配置されている５つの係止片３９を共面を形成するように折り曲げる。５つの係止片３９を共面を形成するように折り曲げると、隣り合う係止片３９の脚部同士が接触又は接近する（図４の下側の図参照）。次に、図５に示すように、連結部材１１のそれぞれの差込係合片２７を折り曲げ、それぞれの係止片３９の受け入れ係止孔３７に連結部材１１の差込係合片２７を表側から裏側に差し込んで係合させる。サッカーボール型置物１は連結部材１１の球状体への接続により構成され、強度の大きいものとなる。なお、五角形状の連結用穴５７が開口した皿状体が形成されるたびに、この連結用穴５７個所に連結部材１１を接続してサッカーボール型置物１を組み立てるようにしてもよい。
【００２２】
置台７を組み立てるには、環状シート１３をそれぞれの折筋５３で折り曲げ、環状シート１３の周方向の一方の端部に形成されている差込係合片２７を、環状シート１３の周方向の他方の端部に形成されている係止片３９の受け入れ係止孔３７に表側から裏側に差し込んで係合させ、図１に示す截頭五角錐状体を構成する。
【００２３】
なお、図６に示すように、正六角形状部材３をすべて別体（２０個）として構成し、縁部又は辺部の１つおきに受け入れ係止孔３７を有する台形状の係止片３９を一体的に形成しておき、対応する受け入れ係止孔３７に五角形状の連結部材１１の差込係合片２７を表側から裏側に差し込んで係合させることによりボール状多面体を形成してもよい。係止片３９と正六角形状部材３との接続部（係止片３９の底辺部）には折り曲げ用の折筋４１（点線部分参照）が形成されている。別体の正六角形状部材３の係止片３９は本体シート９の係止片３９と同じ構造を有している。
【符号の説明】
【００２４】
１        サッカーボール型置物
３        正六角形状部材
１１      連結部材（閉塞部材）
２３      一体的な接続部
２７      差込係合片
３７      受け入れ係止孔
【図１】
2019097996.tif 000003
【図２】
2019097996.tif 000004
【図３】
2019097996.tif 000005
【図４】
2019097996.tif 000006
【図５】
2019097996.tif 000007
【図６】
2019097996.tif 000008